(57)【要約】【課題】自動製パン機において、予約時間を間違った設定時間に設定してスタート操作しても、機器が故障かと思われることをなくし、使い勝手を良くすることを目的とする。【解決手段】予約キー１２によりタイマー調理のための時刻設定を行なった時、設定された時刻が選択されたメニューの調理所要時間より早い時刻の場合には、タイマー調理を開始するためにスタートキー１５を操作すると、注意報知１９を行ない、現在時刻に調理所要時間を加えた時刻に時刻表示を変更した上でタイマー調理をスタートし、スタート直後の一定時間は混練手段を駆動するモータの駆動の無い時間を設けたことにより、機器が故障の不審がなく、また調理を取り消したい場合は、簡単に、調理に影響することなく調理を取り消すことができ、使い勝手が良いものである。【選択図】　図３
2004016313.tif 000002
【特許請求の範囲】
【請求項１】
加熱手段を有する焼成室と、前記焼成室内に着脱自在に装着したパン焼き型と、前記パン焼き型の内底部に設けられモータにより駆動される混練手段と、前記焼成室内の温度を検知する温度検知部と、少なくともタイマー調理のために出来上がりの時刻の設定を行なえるようにする予約キーおよび調理を開始するスタートキーを有する操作部と、現在時刻またはタイマー調理による出来上がり時刻を表示する表示部と、前記温度検知部と前記操作部からの入力によりパン焼き制御を行う制御装置とからなり、前記予約キーによりタイマー調理のための時刻設定を行なった時、設定された時刻が調理所要時間より早い時刻の場合には、タイマー調理を開始するためにスタートキーを操作すると、注意報知を行ない、現在時刻に調理所要時間を加えた時刻に時刻表示を変更した上でタイマー調理をスタートし、スタート直後の一定時間は前記モータ駆動の無い時間を設けた自動製パン機。
【請求項２】
予約キーによりタイマー調理のための時刻設定を行なった時、設定された時刻が現在時刻に所定の時間を加えた時刻より遅い場合、タイマー調理を開始するためにスタートキーを操作すると、注意報知を行ない、現在時刻に前記所定の時間を加えた時刻に時刻表示を変更した上でタイマー調理をスタートし、スタート直後の一定時間は前記モータ駆動の無い時間を設けた請求項１に記載の自動製パン機。
【請求項３】
予約キーによりタイマー調理のための時刻設定を行なった時、設定された時刻が現在時刻に第１の所定の時間を加えた時刻より遅く、第２の所定の時間を加えた時刻より早い場合は、タイマー調理を開始するためにスタートキーを操作すると、注意報知を行ない、現在時刻に前記第１の所定の時間を加えた時刻に時刻表示を変更した上でタイマー調理をスタートさせ、設定された時刻が現在時刻に第１の所定の時間と第２の所定の時間を加えた時刻より遅い場合は、タイマー調理をスタートしない請求項１に記載の自動製パン機。
【請求項４】
スタート直後の一定時間は、操作部に設けた取消しキーの応答時間が他の調理時間中の取消しキーの応答時間より短い請求項１〜３のいずれか１項に記載の自動製パン機。
【請求項５】
予約キーによりタイマー調理のための時刻設定を行なった時、設定された時刻が現在時刻に所定の時間を加えた時刻より遅い時刻から、調理所要時間より早い時刻までの時刻が表示されている時、注意表示を行う請求項１に記載の自動製パン機。
【請求項６】
加熱手段を有する焼成室と、前記焼成室内に着脱自在に装着したパン焼き型と、前記パン焼き型の内底部に設けられモータにより駆動される混練手段と、前記焼成室内の温度を検知する温度検知部と、少なくともタイマー調理のために出来上がりの時刻の設定を行なえるようにする予約キーおよび調理を開始するスタートキーを有する操作部と、現在時刻またはタイマー調理による出来上がり時刻を表示する表示部と、前記温度検知部と前記操作部からの入力によりパン焼き制御を行う制御装置とからなり、前記予約キーによりタイマー調理のための時刻設定を行なった時、設定された時刻が現在時刻に所定の時間を加えた時刻より遅い時刻から調理所要時間より早い時刻までの時刻が表示されないようにした自動製パン機。
【請求項７】
時刻設定時に、表示されない時刻を通過するとき報知音で知らせる請求項６に記載の自動製パン機。
【請求項８】
設定された時刻が現在時刻に調理所要時間を加えた時刻であり、その時刻が時間経過により現在時刻に調理所要時間を加えた時刻より早い時刻になった時、設定時刻を自動的に進める請求項６に記載の自動製パン機。
【発明の詳細な説明】
【０００１】
【発明の属する技術分野】
本発明は一般家庭で使用する自動製パン機に関するものである。
【０００２】
【従来の技術】
図９（１）に示すように、従来の自動製パン機におけるタイマー調理については、表示部２０に表示されているように、現在時刻「９：００」の時点で、食パンを調理するとき、まず操作部２１のメニューキーで食パンを選択し、予約キーを押すと予め記憶された時間が表示され、時キー、分キーで望みの時間に予約時間を設定する。
【０００３】
ここで、望みの時間が「１２：００」であった場合、予約時間を図９（２）に示すように「１２：００」に設定してスタートキーを押すと、食パンの調理時間は４時間なので望みの時間に焼き上げることはできない。したがって、スタートキーを操作すると、表示部２０において「予約誤り」の注意表示を行いスタートしない。また、調理材料の腐敗防止のため、１３時間以上の調理時間を禁止している。したがって、設定された時刻が現在時刻に所定の時間（１３時間）を加えた時刻より遅い場合にも、スタートキーを操作してもスタートしない。
【０００４】
即ち、予約キーによりタイマー調理のための時刻設定を行なった時、設定された時刻が選択されたメニューの調理所要時間より早い時刻の場合や、設定された時刻が現在時刻に所定の時間を加えた時刻より遅い場合には、タイマー調理を開始するためにスタートキーを操作してもスタートしないものであった。
【０００５】
【発明が解決しようとする課題】
しかし、このような従来の方法では設定された時刻が選択されたメニューの調理所要時間より早い時刻の場合や、設定された時刻が現在時刻に所定の時間を加えた時刻より遅い場合、スタートキーを操作してもスタートしないので、機器が故障したのかと不審に思われることがあり、使用上の課題であった。
【０００６】
上記従来の課題を解決するために、本発明は、タイマー予約時間を間違った設定時間に設定してスタートキーを操作しても、機器が故障したのかと思われることがなく、使い勝手を良くした自動製パン機を提供することを目的とする。
【０００７】
【課題を解決するための手段】
上記目的を達成するために、本発明の自動製パン機は、予約キーによりタイマー調理のための時刻設定を行なった時、設定された時刻が調理所要時間より早い時刻の場合には、タイマー調理を開始するためにスタートキーを操作すると、注意報知を行ない、現在時刻に調理所要時間を加えた時刻に時刻表示を変更した上でタイマー調理をスタートし、スタート直後の一定時間は混練手段を駆動するモータ駆動の無い時間を設けたものである。
【０００８】
これにより、タイマー予約時間を間違った設定時間に設定してスタートキーを操作しても、機器が故障したのかと思われることがなく、使い勝手が良い。
【０００９】
【発明の実施の形態】
請求項１に記載の発明は、加熱手段を有する焼成室と、前記焼成室内に着脱自在に装着したパン焼き型と、前記パン焼き型の内底部に設けられモータにより駆動される混練手段と、前記焼成室内の温度を検知する温度検知部と、少なくともタイマー調理のために出来上がりの時刻の設定を行なえるようにする予約キーおよび調理を開始するスタートキーを有する操作部と、現在時刻またはタイマー調理による出来上がり時刻を表示する表示部と、前記温度検知部と前記操作部からの入力によりパン焼き制御を行う制御装置とからなり、前記予約キーによりタイマー調理のための時刻設定を行なった時、設定された時刻が調理所要時間より早い時刻の場合には、タイマー調理を開始するためにスタートキーを操作すると、注意報知を行ない、現在時刻に調理所要時間を加えた時刻に時刻表示を変更した上でタイマー調理をスタートし、スタート直後の一定時間は前記モータ駆動の無い時間を設けた自動製パン機としたことにより、タイマー予約時間を間違った設定時間に設定してスタートキーを操作しても、慣れない使用者が機器が故障したと誤解することがなく、時間設定を間違った場合でも、間違いに気が付いたときに運転を停止して時間を合わせ直すことができ、使い勝手が良いものである。
【００１０】
請求項２に記載の発明は、予約キーによりタイマー調理のための時刻設定を行なった時、設定された時刻が現在時刻に所定の時間を加えた時刻より遅い場合、タイマー調理を開始するためにスタートキーを操作すると、注意報知を行ない、現在時刻に前記所定の時間を加えた時刻に時刻表示を変更した上でタイマー調理をスタートし、スタート直後の一定時間は前記モータ駆動の無い時間を設けた請求項１に記載の自動製パン機としたことにより、設定された時刻が現在時刻に所定の時間を加えた時刻より遅い場合にも、スタートしないということがないので、不慣れな使用者が機器が故障したと誤解することがなく、時間設定を間違った場合でも、間違いに気が付いたときに運転を停止して時間を合わせ直すことができ、使い勝手が良いものである。
【００１１】
請求項３に記載の発明は、予約キーによりタイマー調理のための時刻設定を行なった時、設定された時刻が現在時刻に第１の所定の時間を加えた時刻より遅く、第２の所定の時間を加えた時刻より早い場合は、タイマー調理を開始するためにスタートキーを操作すると、注意報知を行ない、現在時刻に前記第１の所定の時間を加えた時刻に時刻表示を変更した上でタイマー調理をスタートさせ、設定された時刻が現在時刻に第１の所定の時間と第２の所定の時間を加えた時刻より遅い場合は、タイマー調理をスタートしない請求項１に記載の自動製パン機としたことにより、タイマー調理がスタートしない時間範囲を少しでも少なくすることにより、不慣れな使用者が機器が故障したと誤解することを少なくしている。
【００１２】
請求項４に記載の発明は、スタート直後の一定時間は、操作部に設けた取消しキーの応答時間が他の調理時間中の取消しキーの応答時間より短い請求項１〜３のいずれか１項に記載の自動製パン機としたことにより、スタート直後の一定時間だけ他の調理時間中よりも取消しキーの応答が良くなり、あわててキー操作をしても応答しやすくしている。
【００１３】
請求項５に記載の発明は、予約キーによりタイマー調理のための時刻設定を行なった時、設定された時刻が現在時刻に所定の時間を加えた時刻より遅い時刻から、調理所要時間より早い時刻までの時刻が表示されている時、注意表示を行う請求項１に記載の自動製パン機としたことにより、設定時刻どおりのタイマー調理ができない時間帯であることが使用者に解り、タイマー設定できない時間帯にタイマー設定するのを防止することができる。
【００１４】
請求項６に記載の発明は、加熱手段を有する焼成室と、前記焼成室内に着脱自在に装着したパン焼き型と、前記パン焼き型の内底部に設けられモータにより駆動される混練手段と、前記焼成室内の温度を検知する温度検知部と、少なくともタイマー調理のために出来上がりの時刻の設定を行なえるようにする予約キーおよび調理を開始するスタートキーを有する操作部と、現在時刻またはタイマー調理による出来上がり時刻を表示する表示部と、前記温度検知部と前記操作部からの入力によりパン焼き制御を行う制御装置とからなり、前記予約キーによりタイマー調理のための時刻設定を行なった時、設定された時刻が現在時刻に所定の時間を加えた時刻より遅い時刻から調理所要時間より早い時刻までの時刻が表示されないようにした自動製パン機としたことにより、タイマー設定できない時間帯にタイマーを合わせること自体ができなくなり、誤ったタイマー設定を防止することができる。
【００１５】
請求項７に記載の発明は、時刻設定時に、表示されない時刻を通過するとき報知音で知らせる請求項６に記載の自動製パン機としたことにより、タイマー設定できない時間帯にタイマーを合わせることができないとともに表示されない時刻通過を使用者に知らせ、使用者の使い勝手を向上させることができる。
【００１６】
請求項８に記載の発明は、設定された時刻が現在時刻に調理所要時間を加えた時刻であり、その時刻が時間経過により現在時刻に調理所要時間を加えた時刻より早い時刻になった時、設定時刻を自動的に進める請求項６に記載の自動製パン機としたことにより、時間経過によって設定時刻がタイマー設定できない時間帯になることを防止し、使用者の使い勝手を向上させることができる。
【００１７】
【実施例】
以下本発明の実施例について、図面を参照しながら説明する。
【００１８】
（実施例１）
図１〜図３は本発明の実施例１における自動製パン機を示すものである。
【００１９】
図において、１は加熱手段を有する焼成室、２は前記焼成室１内に着脱自在に装着したパン焼き型、３は前記パン焼き型２の内底部に設けられモータ４により駆動される混練手段、６は焼成室１を開閉する蓋、７は前記焼成室１内の温度を検知する温度検知部、８は温度検知部７からの温度信号や操作部９からの信号を受けてモータ４や加熱手段５を制御する制御装置、１０は現在時刻またはタイマー調理による出来上がり時刻等を表示する表示部である。
【００２０】
前記操作部９は、図２に詳細が示されているように、食パン、ぶどうパン、フランスパン等の調理メニューを選択するメニューキー１１、タイマー予約をセットする予約キー１２、予約時間の設定で時間の単位を１時間づつ増加させる時キー１３、分の単位を１分づつ増加させる分キー１４、調理ないしタイマー調理をスタートさせるスタートキー１５、調理がスタートしたら点灯する調理ランプ１６、および調理を取り消したり設定をクリアーするための取消キー１７を有している。また、表示部１０は、「現在時刻」の文字が点灯した状態では現在時刻を、「出来上り時刻」の文字が点灯した状態ではタイマー予約時刻のいずれかの時刻１８を表示するとともに、予約時間として設定された時間が設定できない時間であれば注意表示１９を表示する。
【００２１】
図３は表示部１０の表示変化を示しており、（１）に示すように現在時刻「９：００」の時点で、食パンを調理するとき、まずメニューキーで食パンを選択し、予約キーを押すと予め記憶された時間が表示され、時キー、分キーで望みの時間に予約時間を設定する。
【００２２】
望みの時間が「１２：００」であった場合、予約時間を（２）に示すように「１２：００」に設定してスタートキーを押すと、食パンの調理時間は４時間なので望みの時間に焼き上げることはできない。したがって、（３）に示すように現在時刻の９：００に４時間を加えた「１３：００」に予約時刻を変更し、注意喚起のためのブザーと注意表示１９を表示し、調理ランプ１６を点灯させて調理をスタートする。
【００２３】
スタート直後の１分間は練りを行なわないねかし工程とし、この間に変更された予約時刻「１３：００」に不都合があった場合は、取消しキーを押して運転を停止することができる。変更された予約時刻「１３：００」に不都合がなかった場合はそのまま放置しておけば１分後に練りが開始される。
【００２４】
以上のように間違った時刻に予約時刻を設定してスタートした場合も、正しい時刻に変更してスタートし、不都合な場合には取り消すことも可能なので、機器がスタートしないことにより故障と思われることがなく、使用者がストレスを感じることもない。
【００２５】
（実施例２）
次に、図４により本発明の実施例２における自動製パン機を説明する。基本構成は実施例１と同じであるので相違点についてのみ触れる。
【００２６】
図の（１）に示すように現在時刻「９：００」の時点で、食パンを調理するとき、まずメニューキーで食パンを選択し、予約キーを押すと予め記憶された時間が表示され、時キー、分キーで望みの時間に予約時間を設定する。
【００２７】
望みの時間が「２３：００」であった場合、予約時間を（２）に示すように「２３：００」に設定してスタートキーを押すと、調理材料の腐敗防止のため、１３時間以上の調理時間を禁止しているので、（３）に示すように現在時刻の９：００に１３時間を加えた「２２：００」に予約時刻を変更し、注意喚起のためのブザーと注意表示１９を表示し、調理ランプ１６を点灯させて調理をスタートする。
【００２８】
スタート直後の１分間は練りを行なわないねかし工程とし、この間に変更された予約時刻「２２：００」に不都合があった場合は、取消しキーを押して運転を停止することができる。変更された予約時刻「１３：００」に不都合がなかった場合はそのまま放置しておけば１分後に練りが開始される。
【００２９】
以上のように間違った時刻に予約時刻を設定してスタートした場合も、正しい時刻に変更してスタートし、不都合な場合には取り消すことも可能なので、機器がスタートしないことにより故障と思われることがなく、使用者がストレスを感じることもない。
【００３０】
（実施例３）
次に、図５により本発明の実施例３における自動製パン機を説明する。基本構成は実施例１と同じであるので相違点についてのみ触れる。
【００３１】
図の（１）に示すように現在時刻「９：００」の時点で、食パンを調理するとき、まずメニューキーで食パンを選択し、予約キーを押すと予め記憶された時間が表示され、時キー、分キーで望みの時間に予約時間を設定する。
【００３２】
望みの時間が「２３：００」であった場合、（２）に示すように予約時間を「２３：００」に設定してスタートキーを押すと、調理材料の腐敗防止のため、第１の所定時間１３時間以上の調理時間を禁止しているので、（３）に示すように現在時刻の９：００に１３時間を加えた「２２：００」に予約時刻を変更し、注意喚起のためのブザーと注意表示１９を行ない、調理をスタートする。
【００３３】
スタート直後の１分間は練りを行なわないねかし工程とし、この間に変更された予約時刻「２２：００」に不都合があった場合は、取消しキーを押して運転を停止することができる。変更された予約時刻「１３：００」に不都合がなかった場合はそのまま放置しておけば１分後に練りが開始される。これらの動作は実施例２と同じである。
【００３４】
ここで、「２３：００」が「２２：００」に出来上がり時刻が変更されても、自動製パン機には保温工程もあるので、出来上がり１時間後の２３：００に取り出されてもパンの出来上がり状態に何ら問題はない。
【００３５】
しかし、予約の望みの時間が「１：００」以降の時間になると、出来上がり後３時間以上になり、保温工程も切れるのでパンの出来上がり状態に影響が出てくる。
【００３６】
したがって、（４）に示すように予約時刻を第２の所定時間１６時間以降の「１：００」に設定してスタートキーを押すと、（５）に示すように注意喚起のためのブザーと注意表示１９を行ない、調理をスタートしない。
【００３７】
以上のように、第１の所定時間（１３時間）から第２の所定時間（１６時間）の間の間違った時刻に予約時刻を設定してスタートした場合は、現在時刻に第１の所定時間を加えた時刻に変更してスタートし、不都合な場合には取り消すことも可能であり、第２の所定時間以降に設定した場合は機器がスタートしないので、機器がスタートしないことにより故障と思われることを極力少なくし、使用者がストレスを感じることを少なくするものである。
【００３８】
（実施例４）
次に、本発明の実施例４における自動製パン機を説明する。基本構成は実施例１と同じであるので相違点についてのみ触れる。
【００３９】
この実施例においては、スタート直後に予約時間設定の誤りに気付いて調理を取り消したいと思い取消しキーを操作するときに、スタート直後の取消しキーの応答時間を一定時間だけ０．１秒にしている。つまり、通常の調理時間中、調理を取り消す場合は、誤操作により調理を俄取り消されるのを防止するために、０．４秒の応答時間を設けているが、スタート直後の取消しキーの応答時間はこれより短く設定している。
【００４０】
これにより、スタート直後の一定時間だけ他の調理時間中よりも取消しキーの応答が良くなり、あわててキー操作をしても応答しやすくしている。
【００４１】
（実施例５）
次に、図６により本発明の実施例５における自動製パン機を説明する。基本構成は実施例１と同じであるので相違点についてのみ触れる。
【００４２】
図の（１）に示すように、現在時刻「９：００」の時点で、食パンを調理するとき、まずメニューキーで食パンを選択し、予約キーを押すと予め記憶された時間が表示され、時キー、分キーで望みの時間に予約時間を設定する。
【００４３】
現在時刻から１３時間後の「２２：００」以降「１３：００」までは、これまで説明したように、望みの時刻に設定してスタートすると設定時間が変更されるかスタートできないことがある。
【００４４】
したがって、（２）に示すようにこの間の時間が表示されている時、望みの時刻で調理できないことを注意喚起するために注意表示１９を表示するようにしている。
【００４５】
これにより、設定できない時刻が使用者に明確にわかり、間違った時刻設定でスタートすることを防止することができる。
【００４６】
（実施例６）
次に、図７により本発明の実施例６における自動製パン機を説明する。基本構成は実施例１と同じであるので相違点についてのみ触れる。
【００４７】
図の（１）に示すように、現在時刻「９：００」の時点で、食パンを調理するとき、まずメニューキーで食パンを選択し、予約キーを押すと予め記憶された時間が表示され、時キー、分キーで望みの時間に予約時間を設定する。
【００４８】
現在時刻から１３時間後の「２２：００」以降から「１３：００」以前までは望みの時刻に設定してスタートすると、設定時間が変更されるかスタートできないことがある。
【００４９】
したがって、この間の時間に初めから設定ができないようにする。例えば、時間設定の中で分キーを押して分の桁を増加して行き「２１：５８」、「２１：５９」「２２：００」から分キー１４を押すと、（３）に示すように「２２：０１」ではなく「１３：０１」となって２２：００から１３：００の間を表示しないようにしている。
【００５０】
これにより、設定できない時刻が使用者に明確にわかり、間違った時刻設定でスタートすることを防止することができる。つまり、タイマー予約調理ができない時間帯にははじめから時間設定ができないようにすることにより、使用者はタイマー予約調理ができない時間帯を意識することなく時間設定ができ、より使い勝手が向上するという効果が得られる。
【００５１】
（実施例７）
次に、本発明の実施例７における自動製パン機を説明する。基本構成は実施例１、７と同じであるので相違点についてのみ触れる。
【００５２】
この実施例においては、時キーや分キーを押して時間設定する場合、表示されない時間を通過する時に、注意喚起のためにブザーを「ピッ」と鳴らす。つまり、時刻設定時に、表示されない時刻を通過するとき報知音で知らせるようにしている。
【００５３】
これによって、予約時間設定ができない時間を通過したことを耳で確認することができ、使用者においては時間設定時の時間の状態認識が深まり、使い勝手が向上する。
【００５４】
（実施例８）
次に、図８により本発明の実施例８における自動製パン機を説明する。基本構成は実施例１と同じであるので相違点についてのみ触れる。
【００５５】
図の（１）に示すように、現在時刻「９：００」の時点で、食パンを調理するとき、まずメニューキーで食パンを選択し、予約キーを押すと予め記憶された時間が表示され、時キー、分キーで望みの時間に予約時間を設定する。
【００５６】
スタートできないことがある予約時刻は、現在時刻から１３時間後の「２２：００」以降から「１３：００」以前までである。予約時刻を「１３：００」に設定することはできるが、「１２：５９」に設定することはできない。
【００５７】
しかし、（２）に示すように「１３：００」に予約時刻を設定した後にスタートキーを押すまでに時間が経過して現在時刻が「９：０１」になれば「１３：００」は設定できない時間になってしまう。このとき設定された時間を（３）に示すように自動的に「１３：０１」に変更する。
【００５８】
これにより、予約時刻を設定した後にスタートキーを押すまでに時間経過があって設定した時間が設定できない時間帯に入っても自動的に設定可能な時間帯に変更するので、使用者はスタートキーを押すまでの時間を気にすることがなく使い勝手が向上する。
【００５９】
【発明の効果】
以上のように、本発明の自動製パン機によれば、タイマー予約時間を間違った設定時間に設定してスタートキーを操作た場合も、正しい時間に自動的に設定時間を設定し直してスタートし、調理を取り消したい場合は、簡単に、調理に影響することなく調理を取り消すことができるようにすることにより、機器のスタートができなくて故障したのかと思われることがなく、使い勝手を良くすることができるという効果が得られる。
【図面の簡単な説明】
【図１】本発明の実施例１における自動製パン機の部分断面図
【図２】同自動製パン機の操作部と表示部を示す正面図
【図３】同自動製パン機の特に表示部における表示の変化を示す説明図
【図４】本発明の実施例２における自動製パン機の特に表示部における表示の変化を示す説明図
【図５】本発明の実施例３における自動製パン機の特に表示部における表示の変化を示す説明図
【図６】本発明の実施例５における自動製パン機の特に表示部における表示の変化を示す説明図
【図７】本発明の実施例６における自動製パン機の特に表示部における表示の変化を示す説明図
【図８】本発明の実施例８における自動製パン機の特に表示部における表示の変化を示す説明図
【図９】従来の自動製パン機の特に表示部における表示の変化を示す説明図
【符号の説明】
１　焼成室
２　パン焼き型
３　混練手段
４　モータ
５　加熱手段
７　温度検知部
８　制御装置
９　操作部
１０　表示部
１１　メニューキー
１２　予約キー
１５　スタートキー
１７　取消キー
１９　注意表示
【図１】
2004016313.tif 000003
【図２】
2004016313.tif 000004
【図３】
2004016313.tif 000005
【図４】
2004016313.tif 000006
【図５】
2004016313.tif 000007
【図６】
2004016313.tif 000008
【図７】
2004016313.tif 000009
【図８】
2004016313.tif 000010
【図９】
2004016313.tif 000011